(57)【要約】      （修正有）【課題】ホース等を介することなく直接的に分岐水栓に取り付けることができる分岐水栓直結形浄水器を提供する。【解決手段】水道水浄化処理材を内蔵した浄水用カートリッジ３と、該浄水用カートリッジ３を着脱自在に連結するブロックベース４とからなる。ブロックベース４の側部に水平に張り出す筒状の原水流入口５から流入した原水を浄水用カートリッジ３における水道水浄化処理材を通過させて浄化し、浄化した水をブロックベース４の下部の筒状の浄水吐出口から吐出するようになす。ブロックベース４における筒状の原水流入口５の基部に、前記分岐水栓ＢのナットＣの上半分と同形、同大の膨出部５Ａを形成すると共に、分岐水栓ＢのナットＣと筒状の原水流入口５の膨出部５Ａに適合する形状と大きさの緩み止め治具１３を、これらナットＣと膨出部５Ａに跨って被せてブロックベース４における筒状の原水流入口５の円周方向の回転を抑止するようになした緩み止め手段１２を備える。【選択図】図９
0003197961.tif 000002
【実用新案登録請求の範囲】
【請求項１】
水道水浄化処理材を内蔵した浄水用カートリッジと、該浄水用カートリッジを着脱自在に連結するブロックベースとからなり、前記ブロックベースの側部に水平に張り出す筒状の原水流入口から流入した原水を前記浄水用カートリッジにおける水道水浄化処理材を通過させて浄化し、浄化した水をブロックベースの下部の筒状の浄水吐出口から吐出するようになした分岐水栓直結形浄水器であって、前記ブロックベースにおける筒状の原水流入口の先端部に、分岐水栓の水平に張り出す筒状の原水吐出口の先端に回転自在に備えたナットに螺合するネジを刻設すると共に、前記ブロックベースにおける筒状の原水流入口の円周方向の回転を抑止して前記ナットとネジの螺合状態のズレを防ぐ緩み止め手段を備えたことを特徴とする分岐水栓直結形浄水器。
【請求項２】
前記緩み止め手段が、前記ブロックベースの側部における筒状の原水流入口の基部に、前記分岐水栓のナットと同形、同大又は少なくともナットの上半分と同形、同大の膨出部を形成すると共に、前記分岐水栓のナットと前記筒状の原水流入口の膨出部に適合する形状と大きさの緩み止め治具を、これらナットと膨出部に跨って被せてブロックベースにおける筒状の原水流入口の円周方向の回転を抑止するようになした手段である請求項１記載の分岐水栓直結形浄水器。
【請求項３】
前記緩み止め手段が、前記ブロックベースの側部における筒状の原水流入口の基部近傍に凹部を設けると共に、前記分岐水栓のナットの側面に接触させた状態において棒状又は板状の緩み止め治具を前記ブロックベースの凹部に差し込むことによりブロックベースにおける筒状の原水流入口の円周方向の回転を抑止するようになした手段である請求項１記載の分岐水栓直結形浄水器。
【考案の詳細な説明】
【技術分野】
【０００１】
本考案は分岐水栓直結形浄水器に関するものである。
【背景技術】
【０００２】
よりおいしく且つ安全な水を得るために、家庭、事務所、飲食店等において、簡便に使用可能な水道水処理装置として種々の小型の浄水器が普及している。そして、水栓に後付けで分岐水栓を取り付け、この分岐水栓にホース等の柔軟な接続具を介して各種の機器を取り付けることも行われている。そしてまた、このようなことから、従来の一般的な水栓の蛇口に直接取り付けることのほかに、据え置き形浄水器を後付けで設置することも可能となっている。
【０００３】
ところで、このように後付けで設置する据え置き形浄水器の場合においてはいくつかの問題点がある。それは、据え置き形浄水器を流し台の上に直接設置する必要があることから、流し台上の限られた作業スペースを圧迫してしまうことである。また、流し台の上に据え置くことで、浄水器の下側にホコリ等が溜まったりして汚れ易くなり、清掃の頻度が多くなるということである。従来これを防ぐ対策はとられていない。
【考案の概要】
【考案が解決しようとする課題】
【０００４】
そこで、本考案者らは斯かる問題点を解決すべく鋭意研究した結果、ホース等を介することなく直接的に浄水器を分岐水栓に取り付けることができれば、これらの問題点を全て解決できることを知見した。
【０００５】
しかし、そのためには解決しなければならない問題点がある。それは、浄水器を分岐水栓にネジの螺合によって取り付けたとき、単に双方のネジ同士をネジ回して螺合させただけでは浄水器に回転応力が加わったときにネジの螺合状態にズレが生じ、漏水を生ずる虞があることである。
【０００６】
そこで、本考案はこのネジの螺合状態のズレを防ぐ緩み止めに工夫を凝らし、もって分岐水栓直結形の浄水器の実用化を実現させることができるようになしたものである。
【課題を解決するための手段】
【０００７】
而して、本考案の要旨とするところは、水道水浄化処理材を内蔵した浄水用カートリッジと、該浄水用カートリッジを着脱自在に連結するブロックベースとからなり、前記ブロックベースの側部に水平に張り出す筒状の原水流入口から流入した原水を前記浄水用カートリッジにおける水道水浄化処理材を通過させて浄化し、浄化した水をブロックベースの下部の筒状の浄水吐出口から吐出するようになした分岐水栓直結形浄水器であって、前記ブロックベースにおける筒状の原水流入口の先端部に、分岐水栓の水平に張り出す筒状の原水吐出口の先端に回転自在に備えたナットに螺合するネジを刻設すると共に、前記ブロックベースにおける筒状の原水流入口の円周方向の回転を抑止して前記ナットとネジの螺合状態のズレを防ぐ緩み止め手段を備えたことを特徴とする分岐水栓直結形浄水器にある。
【０００８】
また、上記構成における緩み止め手段は、具体的には、前記ブロックベースにおける筒状の原水流入口の基部に、前記分岐水栓のナットと同形、同大又は少なくともナットの上半分と同形、同大の膨出部を形成すると共に、前記分岐水栓のナットと前記筒状の原水流入口の膨出部に適合する形状と大きさの緩み止め治具を、これらナットと膨出部に跨って被せてブロックベースにおける筒状の原水流入口の円周方向の回転を抑止するようになした手段、又は前記ブロックベースの側部における筒状の原水流入口の基部近傍に凹部を設けると共に、前記分岐水栓のナットの側面に接触させた状態において棒状又は板状の緩み止め治具を前記ブロックベースの凹部に差し込むことによりブロックベースにおける筒状の原水流入口の円周方向の回転を抑止するようになした手段である。
【考案の効果】
【０００９】
本考案は上記の如き構成であり、分岐水栓と浄水器の結合部分のネジの螺合状態のズレを防ぐ緩み止めの工夫を凝らしたものであるから、分岐水栓直結形の浄水器として実用化を実現させることができるものである。したがって、漏水を生じないことは勿論、後付けで浄水器を設置しながらも、据え置き形のものに比して流し台上の限られたスペースをより有効に利用することができるようになり、また浄水器は流し台に接することなく、これの上方にあることから、これらの間の空間を利用することも可能となり、この空間に洗浄用スポンジや石鹸等を置くこともできるようになるものである。加えて、従来の据え置き形浄水器の如き、これを置いたときの下部の汚れがないから、この部分の清掃の手間を省くこともできるものである。
【図面の簡単な説明】
【００１０】
【図１】本考案の第１実施形態に係る分岐水栓直結形浄水器の分岐水栓に取り付けた状態の斜視図である。
【図２】同分岐水栓に取り付けた状態の側面図である。
【図３】同一部省略して示した正面図である。
【図４】図３中Ａ−Ａ線切断部端面図である。
【図５】同一部省略して示した中央縦断正面図である。
【図６】同分岐水栓にネジの螺合をもって結合した状態の正面図である。
【図７】同分岐水栓にネジの螺合をもって結合した状態の一部省略して示した斜視図である。
【図８】同緩み止め治具を分岐水栓のナットと浄水器の膨出部に跨って被せた状態の部分拡大断面図である。
【図９】同緩み止め治具を分岐水栓のナットと浄水器の膨出部に跨って被せた状態の正面図である。
【図１０】同緩み止め治具を分岐水栓のナットと浄水器の膨出部に跨って被せた状態の一部省略して示した斜視図である。
【図１１】本考案の第２実施形態に係る分岐水栓直結形浄水器の分岐水栓にネジの螺合をもって結合した状態の斜視図である。
【図１２】同緩み止め治具をブロックベースの凹部に差し込んだ状態の一部省略して示した斜視図である。
【考案を実施するための形態】
【００１１】
以下、本考案を実施するための形態について、図面を参照して説明する。
【００１２】
先ず、図１乃至図１０に示した本考案の第１実施形態について説明する。
【００１３】
図中、１は分岐水栓直結形浄水器である。また、該分岐水栓直結形浄水器１は、活性炭、イオン交換樹脂、分離濾過膜等の水道水浄化処理材２を内蔵した浄水用カートリッジ３と、該浄水用カートリッジ３を着脱自在に連結するブロックベース４とからなり、図５において矢標で示す通り、前記ブロックベース４の側部に水平に張り出す筒状の原水流入口５から流入した原水を前記浄水用カートリッジ３における水道水浄化処理材２を通過させて浄化し、浄化した水をブロックベース４の下部の筒状の浄水吐出口６から吐出するようになしたものである。尚、本実施形態においては、浄水吐出レバー７の操作によって弁体８をずらし、ブロックベース４と浄水用カートリッジ３との連通路９を開閉するように構成したものを示している。また、筒状の浄水吐出口６には浄水吐出管１０を接続している。
【００１４】
また、前記ブロックベース４における筒状の原水流入口５の先端部には、水栓Ａに後付けで取り付けた分岐水栓Ｂの水平に張り出す筒状の原水吐出口Ｂ′の先端に回転自在に備えたナットＣに螺合するネジ５ａを刻設している。即ち、分岐水栓Ｂに分岐水栓直結形浄水器１を取り付けるときには、図８に示す如く、分岐水栓Ｂの筒状の原水吐出口Ｂ′の先端とブロックベース４の筒状の原水流入口５の先端とを突き合わせるようにし、この状態においてナットＣをネジ５ａに螺合させてネジ回し、両者の端部を突き合わせるものである。尚、両者の合わせ目には適宜の厚みと弾力性を有するパッキン１１を介在させることが望ましい。
【００１５】
また、前記分岐水栓直結形浄水器１は、前記ブロックベース４における筒状の原水流入口５の円周方向の回転を抑止して前記ナットＣとネジ５ａの螺合状態のズレを防ぐ緩み止め手段１２を備えている。
【００１６】
また、該緩み止め手段１２は、前記ブロックベース４の側部における筒状の原水流入口５の基部に、前記分岐水栓ＢのナットＣの上半分と同形、同大の膨出部５Ａを形成すると共に、前記分岐水栓ＢのナットＣと前記筒状の原水流入口５の膨出部５Ａに適合する形状と大きさの緩み止め治具１３を、これらナットＣと膨出部５Ａに跨って被せてブロックベース４における筒状の原水流入口５の円周方向の回転を抑止するようになした手段である。尚、膨出部５Ａは、本実施形態においては、分岐水栓ＢのナットＣの上半分と同形、同大としているが、該ナットＣの全体と同形、同大としてもよい。
【００１７】
次に、図１１及び図１２に示した本考案の第２実施形態について説明する。
【００１８】
本実施形態と前記第１実施形態とは、緩み止め手段の点において相違するものである。尚、その他の構成は前記第１実施形態と同様であるから、同一の部材には同一の符号を付して詳細な説明は省略する。
【００１９】
而して、本実施形態における緩み止め手段１４は、ブロックベース４の側部における筒状の原水流入口５の基部近傍に凹部１５を設けると共に、前記分岐水栓ＢのナットＣの側面に接触させた状態において板状の緩み止め治具１６を前記ブロックベース４の凹部１５に差し込むことによりブロックベース４における筒状の原水流入口５の円周方向の回転を抑止するようになした手段である。尚、緩み止め治具１６は、本実施形態では板状となしているが、棒状としても良い。
【００２０】
本考案の実施形態は上記の通りであり、分岐水栓と浄水器の結合部分のネジの螺合状態のズレを防ぐ緩み止めの工夫を凝らしたものであるから、分岐水栓直結形の浄水器として実用化を実現させることができるものである。したがって、漏水を生じないことは勿論、後付けで浄水器を設置しながらも、据え置き形のものに比して流し台上の限られたスペースをより有効に利用することができるようになり、また、図２に示す如く、浄水器は流し台に接することなく、これの上方にあることから、これらの間の空間Ｓを利用することも可能となり、この空間に洗浄用スポンジや石鹸等を置くこともできるようになるものである。加えて、従来の据え置き形浄水器の如き、これを置いたときの下部の汚れがないから、この部分の清掃の手間を省くこともできるものである。
【符号の説明】
【００２１】
１  分岐水栓直結形浄水器
２  水道水浄化処理材
３  浄水用カートリッジ
４  ブロックベース
５  筒状の原水流入口
５Ａ  膨出部
６  筒状の浄水吐出口
７  浄水吐出レバー
８  弁体
９  連通路
１０  浄水吐出管
１１  パッキン
１２  緩み止め手段
１３  緩み止め治具
１４  緩み止め手段
１５    凹部
１６  緩み止め治具
【図１】
0003197961.tif 000003
【図２】
0003197961.tif 000004
【図３】
0003197961.tif 000005
【図４】
0003197961.tif 000006
【図５】
0003197961.tif 000007
【図６】
0003197961.tif 000008
【図７】
0003197961.tif 000009
【図８】
0003197961.tif 000010
【図９】
0003197961.tif 000011
【図１０】
0003197961.tif 000012
【図１１】
0003197961.tif 000013
【図１２】
0003197961.tif 000014